(57)【要約】【課題】不特定多数の者が出入り使用する病院やオフィスビル等の建造物のトイレは、使用する者の手が個々に触れて衛生的でなく、また、ロール紙のカットする時、次にロール紙を引き出すには、カバーの下に強く押し付けらたロール紙の端部を空いている一方の手の爪先等で剥がしてから引き出している面倒な現状である。【解決手段】トイレットペーパーホルダーのカバーを持ち上げることなく、且つ、ロール紙を引き出すことをしなくても任意の長さのロール紙を送り出し、また、前記トイレットペーパーホルダーを使用の度に、前記トイレットペーパーホルダーの保持部（取っ手）を押して、衛生的に前記ロール紙を送り出すことができるプッシュロール紙送り出しトイレットペーパーホルダー。【選択図】図２
2018027198.tif 000002
【特許請求の範囲】
【請求項１】
トイレットペーパーホルダーのカバーを持ち上げることなく、且つ、ロール紙を引き出すことをしなくても任意の長さに衛生的にロール紙を送り出すことを特徴とするプッシュロール紙送り出しトイレットペーパーホルダー。
【請求項２】
前記トイレットペーパーホルダーのカバーに装着したロール紙送り出しユニットを前記カバーとロール紙との接触面の任意の位置に位置して作動することで、ロール紙をスムースに送り出すことができることを特徴とする請求項１記載のプッシュロール紙送り出しトイレットペーパーホルダー。
【請求項３】
前記トイレットペーパーホルダーのカバーに装着した前記ロール紙送り出しユニットの保持部（取っ手）を押して、前記ロール紙を支障なく引き出すことができることを特徴とする請求項１又は２記載のプッシュロール紙送り出しトイレットペーパーホルダー。
【発明の詳細な説明】
【技術分野】
【０００１】
本発明はトイレットペーパーホルダーのカバーを持ち上げることなく、且つ、ロール紙を引き出すことをしなくても任意の長さのロール紙を送り出すことを特徴とするトイレットペーパーホルダーに関する。
【背景技術】
【０００２】
従来、トイレは、夫々の家で少なくとも１カ所は必要とされ、また、不特定多数の者が出入り使用する病院やオフィスビル等の建造物のトイレ、そこに設置されているトイレットペーパーホルダーは、多様式で、それなりの設置数があるが、使用する者の手が個々に触れて衛生的でないと言う衛生面に問題点があった。さらに、前記カバーよりロール紙が引き出されたままの状態で衛生的でないと言う衛生面に問題点があった。
【０００３】
従来のトイレットペーパーホルダーのカバーは、ロール紙を上から押える機能と紙を切断するときのカッター板の機能とを兼ねている。
従って、トイレットペーパーホルダーでロール紙を切断する際には、カバーの先端部でロール紙を押さえてカットするため、ロール紙のカット部は強く押し付けられて静電気等で付着されている。次に、ロール紙を引き出すには、付着している端部を引き出すことが困難なため、片手でカバーを持ち上げて、もう一方の手の指の爪先等でロール紙の端部を剥がしてから引き出す方法であるため、カットするには両手が必要である。
これらの問題を解消するために多くの技術が提案されている。その一例として、下記特許文献１が存在する。
この特許文献１によるトイレットペーパーホルダーに付帯する装置は、ロール紙をセットするのに手間がかかり、また、ロール紙が残り少なくなった時、芯近くのロール紙の直径が小さくなり、ロール紙の巻き上げ作用を期待することができない。
特許文献２においても、同様にロール紙をセットするのに手間がかかり、また、ロール紙が残り少なくなった時、装着されたすべり軸や跳ね上げ盤が作用効果の期待ができないという欠点があった。
次に、特許文献３において、トイレットペーパーホルダーのカバーのほぼ中央に長穴を形成し、ロール紙の送り出し部としているが、ほこりが溜まりやすく、ロール紙が不衛生になりかねない。また、ロール紙が残り少なくなった時、長穴の送り出し部の作用面が小さくなり、ロール紙の送り出し作用を期待することができない。
特許文献４において、ロール紙を交換しやすく、簡単に引き出しカットできるが、ロール紙の上方にカバーが無いので、ほこりも溜まりやすく、ロール紙が不衛生になりかねない。更に、ロール紙が残り少なくなった時、納まりも悪く、引き出しカットが容易にできなくなる。
これらの問題点に鑑み、特許文献５が存在することも否定できなく、衛生的にも操作的にもクリアするが、電動式で、且つ、電気配線を必要とする。さらに、市販されているトイレットペーパーホルダーよりかなり高価である。
また、特許文献６においても存在することも否定できなく、衛生的にも操作的にもクリアするが、製造する上で組み立て機構が複雑で、トイレットペーパーホルダーのカバーが嵩高くなる。
【先行技術文献】
【特許文献】
【０００４】
【特許文献１】特開平８−１４０８８８
【特許文献２】特開平１１−１１３７８６
【特許文献３】特開２０１１−１２０８４９
【特許文献４】特開２０１３−０４３０７８
【特許文献５】特開２０１１−１６１１８４
【特許文献６】特開２０１５−０１２９８３
【発明の概要】
【発明が解決しようとする課題】
【０００５】
解決しようとする問題点は、不特定多数の人が出入りする病院やオフィスビル等の建造物でトイレを使用する際、そこのトイレットペーパーホルダーのカバーを持ち上げて、ロール紙を引き出すことは衛生的でない点と、片手でロール紙を引き出しカットする操作は困難である点と、ロール紙が残り少なくなった時、上記先行技術文献の参考特許文献にあるように対応できない点もあり、
また、製造する上で組み立て機構が複雑で、かなり高価なものもある。
本発明は以上の問題を解決しようとするものである。
【課題を解決するための手段】
【０００６】
本発明は、トイレットペーパーホルダーのカバーを持ち上げることなく、且つ、ロール紙を引き出すことをしなくても任意の長さのロール紙をより衛生的に送り出すことを最も主要な特徴とする。
【０００７】
本発明を更に詳細に述べる。
トイレットペーパーホルダーのカバーにおいて、ロール紙が新しい時もロール紙が残り少なくなった時も、ロール紙のカット部分寄りの位置で、常時、ロール紙に接触する面を選択し、そこにロール紙の送り出し操作用ガイド棒を装備する。また、トイレットペーパーのサイズも芯の直径 ３８ｍｍ、幅 １１４ｍｍ、直径 １１２ｍｍとＪＩＳ（日本工業規格）で制約がある。一般に、トイレットペーパーホルダーのカバーのサイズは、幅 １２０ｍｍ位がよく見られる。
本発明は、前記トイレットペーパーホルダーのカバーの両サイド３０ｍｍの位置に前記送り出し操作用ガイド棒のガイド溝を前方に約３５ｍｍ、後方に約３０ｍｍを設け、それに夫々ガイド棒を装備し、先端部に取っ手を付帯する。
前記送り出しガイド棒ユニットは、前記トイレットペーパーホルダーのカバーに任意に設けられた４本の前記ガイド溝に装備する。前記送り出しガイド棒ユニットは、前記トイレットペーパーホルダーのカバーの下面で、前方の２本のガイド棒は波形付きロール紙送り出し板を設け結束し、後方の２本のガイド棒は前記カバーの回転軸部に保持する。夫々の部材をカシメ部材等で嵌合する。
本発明は、以上のような構成よりなるプッシュロール紙送り出しトイレットペーパーホルダーである。
【発明の効果】
【０００８】
本発明は、上記の様な構成をしたプッシュロール紙送り出しトイレットペーパーホルダーである。
本発明によれば、既存のトイレットペーパーホルダーのカバーを交換するだけで、使用することができ、経済的である。しかも、電動式でないので、電気配線等の工事の必要がない。また、使用する度に、新しいロール紙を送り出すことができるので、衛生的である。また更に、本発明は、怪我等で片手が使えない人や手の不自由な人には、押すだけの簡単な操作だけで、ロール紙を送り出すことが容易にできて、使い勝手が良い。
近頃では、トイレットペーパーホルダーのカバーの押さえが利いているものも多く、より使い勝手がよくなると考えられる。
また、接触面の任意の位置及び方法で適宜設計変更を可能にできるように構成されている。
【図面の簡単な説明】
【０００９】
【図１】従来のトイレットペーパーホルダーを示す斜視図
【図２】本発明の実施形態にかかるトイレットペーパーホルダーを示す斜視図
【図３】同上のトイレットペーパーホルダーの作動部の機能構成部材を示す側面図
【図４】同上のトイレットペーパーホルダーの機能構成を示す側面図
【図５】同上のトイレットペーパーホルダーの作動を示す側面図
【図６】同上のトイレットペーパーホルダーのカバーの送り出しユニットを示す上面図
【図７】同上のトイレットペーパーホルダーのカバーの送り出しユニットを示す底面図
【符号の説明】
【００１０】
Ｔ    トイレットペーパーホルダー
ＮＴ  本実施形態にかかるトイレットペーパーホルダー
Ｃ    カバー
Ｈ    サイドホルダー
Ｒ    ロール紙
Ｕ    ロール紙送り出しユニット
１    保持部（取っ手）
２    内装バネ
３    パンチカシメ玉
４    保持部付帯ガイド棒
５    ロール紙送り出しガイド棒
６    保持部付帯ガイド溝
７    ロール紙送り出しガイド溝
８    カバー保持フック
９    固定用軸棒
１０  固定用ロール棒
１１  波形付ロール紙送り出し板
１２  波形付送り出し板用ロール軸棒
【発明を実施するための形態】
【００１１】
以上の構成よりなるから、前記トイレットペーパーホルダーのカバーに付帯するロール紙送り出しユニットの保持部（取っ手）を押すと、前記ユニットに付帯する波形付ロール紙送り出し板が連動する。これにより、前記ロール紙をスムースに送り出すことができる。
したがって、前記保持部を押すことにより、この保持部の１回のストローク約２０ｍｍ移行することにより、前記ロール紙を約２０ｍｍ押し出すことができる機構を有している。また、前記ユニットのカシメ部に内装バネを有しており、元の位置状態に戻すことができ、繰り返すことにより、前記ロール紙を任意の長さに送り出すことができる。
【００１２】
以下図面に基づき本発明の実施の形態について説明する。
図１は従来のトイレットペーパーホルダーＴを示す斜視図であって、カバーＣとサイドホルダーＨと内装されたロール紙Ｒとで構成されている。
図２においては、本発明の実施形態のロール紙送り出しトイレットペーパーホルダーＮＴを示す斜視図であって、保持部（取っ手）１に付帯されたパンチカシメ玉３で嵌合された保持部付帯ガイド棒４とロール紙送り出しガイド棒５とを設けたカバーＣとサイドホルダーＨと内装されたロール紙Ｒとで構成されている。
図３は、図２にもあったロール紙送り出しユニットＵの機構構成を示す側面図であって、保持部（取っ手）１に付帯されたパンチカシメ玉３で嵌合された保持部付帯ガイド棒４とロール紙送り出しガイド棒５とで構成されており、前記保持部付帯ガイド棒４の前記パンチカシメ玉３の嵌合部位と下端部に夫々内装バネ２を装備して、前記ロール紙送り出しユニットＵの押し戻し作用をする。
図４は、保持部（取っ手）１に付帯したパンチカシメ嵌合された保持部付帯ガイド棒４とロール紙送り出しガイド棒５で構成されたロール紙送り出しユニットＵを付帯したカバーＣとサイドホルダーＨと内装されたロール紙Ｒとで構成されている側面図である。
図５は、ロール紙送り出しユニットＵの保持部（取っ手）１を繰り返し押すことにより、ロール紙を任意の長さに押し出すことができることを示す側面図である。
図６と図７は、本発明の実施形態のロール紙送り出しトイレットペーパーホルダーＮＴのカバーＣのロール紙送り出しユニットＵの上面と底面を示す図で、
図６は、前記トイレットペーパーホルダーＮＴのカバーＣの任意に設けられた夫々２本ずつの保持部付帯ガイド溝６とロール紙送り出しガイド溝７にパンチカシメ玉３で嵌合された保持部付帯ガイド棒４とロール紙送り出しガイド棒５とが、ロール紙送り出しユニットＵの保持部（取っ手）１付帯して位置し、前記トイレットペーパーホルダーＮＴのカバーＣの接合部にカバー保持フック８を設けたことを示す図である。
図７は、図６にあるように、前記トイレットペーパーホルダーＮＴのカバーＣの任意に設けた夫々２本ずつの保持部付帯ガイド溝６に固定用ロール棒１０とロール紙送り出しガイド溝７に波形付ロール紙送り出し板１１を付帯する波形付送り出し板用ロール軸棒１２を位置し、連動させることができ、繰り返し作動させると、前記ロール紙Ｒを任意の長さに送り出すことができる。
【図１】
2018027198.tif 000003
【図２】
2018027198.tif 000004
【図３】
2018027198.tif 000005
【図４】
2018027198.tif 000006
【図５】
2018027198.tif 000007
【図６】
2018027198.tif 000008
【図７】
2018027198.tif 000009